(57)【特許請求の範囲】
【請求項１】
画像データまたは音声データを記憶する記憶手段に接続され、前記記憶された画像データまたは音声データを再生する再生装置であって、
人物画像を撮像可能な撮像手段と、
該撮像手段により撮像された人物画像の顔を認識する顔認識手段と、
登録モードが設定されている状態で前記撮像手段により人物画像が撮像されたとき、前記顔認識手段により顔が認識された人物画像の人物を前記記憶手段に記憶された画像データまたは音声データのうちユーザにより選択された画像データまたは音声データに関連付けて登録する登録手段と、
再生モードが設定されている状態で前記撮像手段により人物画像が撮像されたとき、前記顔認識手段により顔が認識された人物画像の人物が前記登録手段により登録されている人物のときには前記関連付けられた画像データまたは音声データを再生する再生手段と
を備える再生装置。
【請求項２】
請求項１記載の再生装置であって、
前記再生手段は、ユーザにより選択される複数の再生モードを備え、
前記複数の再生モードは、前記記憶手段により記憶されているすべての画像データまたは音声データを再生する通常再生モードと、前記撮像手段により撮像された人物画像の人物に関連付けられた画像データまたは音声データを再生する撮像再生モードとを含むモードである
再生装置。
【請求項３】
前記再生手段は、前記画像データの再生の態様としてスライドショー表示を行なう手段である請求項２記載の再生装置。
【請求項４】
画像データまたは音声データを記憶する記憶手段と人物画像を撮像可能な撮像手段とに接続され、前記記憶された画像データまたは音声データを再生する再生装置の制御方法であって、
（ａ）該撮像手段により撮像された人物画像の顔を認識し、
（ｂ）登録モードが設定されている状態で前記撮像手段により人物画像が撮像されたとき、前記顔認識手段により顔が認識された人物画像の人物を前記記憶手段に記憶された画像データまたは音声データのうちユーザにより選択された画像データまたは音声データに関連付けて登録し、
（ｃ）再生モードが設定されている状態で前記撮像手段により人物画像が撮像されたとき、前記顔認識手段により顔が認識された人物画像の人物が前記登録手段により登録されている人物のときには前記関連付けられた画像データまたは音声データを再生する
ことを特徴とする再生装置の制御方法。
【請求項５】
請求項４に記載の再生装置の制御方法の各ステップを１又は複数のコンピュータに実現させるためのプログラム。
【発明の詳細な説明】
【技術分野】
【０００１】
本発明は、再生装置およびその制御方法並びにプログラムに関し、詳しくは、画像データまたは音声データを記憶する記憶手段に接続され、前記記憶された画像データまたは音声データを再生する再生装置およびその制御方法並びに再生装置の制御方法の各ステップを１又は複数のコンピュータに実現させるためのプログラムに関する。
【背景技術】
【０００２】
従来、再生装置としては、カードスロットに挿入されたカード型メモリに記憶されている観賞用画像を表示する電子写真立て（デジタルフォトフレーム）が提案されている（例えば、特許文献１参照）。この装置では、メモリ内に複数の画像が記憶されているときにユーザによるボタン操作により表示する画像を順次変更するフォトモードや、複数の画像を自動的に順次表示していくスライドショーモードなどの各種表示モードを有している。
【特許文献１】特開２００１−６７００４号公報
【発明の開示】
【発明が解決しようとする課題】
【０００３】
しかしながら、上述した再生装置では、複数のユーザにより共用される場合を考えると、ユーザ毎にお気に入りの画像が異なるのが通常であるから、使用するユーザが変わるたびにユーザは所望の画像をボタン操作によって呼び出さなければならない。
【０００４】
本発明の再生装置およびその制御方法並びにプログラムは、面倒な操作を伴うことなくユーザ毎にお気に入りの画像や音声を自動再生することを主目的とする。
【課題を解決するための手段】
【０００５】
本発明の再生装置およびその制御方法並びにプログラムは、上述の主目的を達成するために以下の手段を採った。
【０００６】
本発明の再生装置は、
画像データまたは音声データを記憶する記憶手段に接続され、前記記憶された画像データまたは音声データを再生する再生装置であって、
人物画像を撮像可能な撮像手段と、
該撮像手段により撮像された人物画像の顔を認識する顔認識手段と、
登録モードが設定されている状態で前記撮像手段により人物画像が撮像されたとき、前記顔認識手段により顔が認識された人物画像の人物を前記記憶手段に記憶された画像データまたは音声データのうちユーザにより選択された画像データまたは音声データに関連付けて登録する登録手段と、
再生モードが設定されている状態で前記撮像手段により人物画像が撮像されたとき、前記顔認識手段により顔が認識された人物画像の人物が前記登録手段により登録されている人物のときには前記関連付けられた画像データまたは音声データを再生する再生手段と
を備えることを要旨とする。
【０００７】
この本発明の再生装置では、撮像手段により撮像された人物画像の顔を認識し、登録モードが設定されている状態で撮像手段により人物画像が撮像されたとき顔が認識された人物画像の人物を記憶手段に記憶されている画像データまたは音声データのうちユーザにより選択された画像データまたは音声データと関連付けて登録し、再生モードが設定されている状態で撮像手段により人物画像が撮像されたとき顔が認識された人物画像の人物が登録されている人物のときには関連付けられた画像データまたは音声データを再生する。したがって、複数のユーザが共用するときでも面倒な操作を伴うことなくユーザ毎にお気に入りの画像や音声を自動再生することができる。
【０００８】
こうした本発明の再生装置において、前記再生手段は、ユーザにより選択される複数の再生モードを備え、前記複数の再生モードは、前記記憶手段により記憶されているすべての画像データまたは音声データを再生する通常再生モードと、前記撮像手段により撮像された人物画像の人物に関連付けられた画像データまたは音声データを再生する撮像再生モードとを含むモードであるものとすることもできる。こうすれば、ユーザの選択によって撮像再生モードを実行することができる。
【０００９】
また、本発明の再生装置において、前記再生手段は、前記画像データの再生の態様としてスライドショー表示を行なう手段であるものとすることもできる。
【００１０】
本発明の再生装置の制御方法は、
画像データまたは音声データを記憶する記憶手段と人物画像を撮像可能な撮像手段とに接続され、前記記憶された画像データまたは音声データを再生する再生装置の制御方法であって、
（ａ）該撮像手段により撮像された人物画像の顔を認識し、
（ｂ）登録モードが設定されている状態で前記撮像手段により人物画像が撮像されたとき、前記顔認識手段により顔が認識された人物画像の人物を前記記憶手段に記憶された画像データまたは音声データのうちユーザにより選択された画像データまたは音声データに関連付けて登録し、
（ｃ）再生モードが設定されている状態で前記撮像手段により人物画像が撮像されたとき、前記顔認識手段により顔が認識された人物画像の人物が前記登録手段により登録されている人物のときには前記関連付けられた画像データまたは音声データを再生する
ことを特徴とする。
【００１１】
この本発明の再生装置の制御方法によれば、撮像手段により撮像された人物画像の顔を認識し、登録モードが設定されている状態で撮像手段により人物画像が撮像されたとき顔が認識された人物画像の人物を記憶手段に記憶されている画像データまたは音声データのうちユーザにより選択された画像データまたは音声データと関連付けて登録し、再生モードが設定されている状態で撮像手段により人物画像が撮像されたとき顔が認識された人物画像の人物が登録されている人物のときには関連付けられた画像データまたは音声データを再生する。したがって、複数のユーザが共用するときでも面倒な操作を伴うことなくユーザ毎にお気に入りの画像や音声を自動再生することができる。なお、この再生装置の制御方法において、上述した本発明の再生装置の種々の態様を採用してもよいし、
【００１２】
本発明のプログラムは、上述した再生装置の制御方法の各ステップを１又は複数のコンピュータに実現させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述した再生装置の制御方法の各ステップが実行されるため、該制御方法と同様の作用効果が得られる。
【発明を実施するための最良の形態】
【００１３】
次に、本発明を実施するための最良の形態を図面を用いて説明する。図１は、本発明の一実施形態である再生装置としての電子写真立て２０の構成図および機能ブロック図である。本実施形態の電子写真立て２０は、画像ファイルや音声ファイルなどを保存しているメモリカード３５を差し込んで画像や音楽を再生する電子写真立てとして構成されており、図１に示すように、写真などの画像の表示や所定のメニュー画面を表示するための液晶表示装置としての表示パネル２２と、表示パネル２２の表示制御を司る表示コントローラ２４と、音楽などの音声を出力するスピーカ２６と、スピーカ２６の出力制御を司るスピーカコントローラ２８と、ＣＣＤ（Charge Coupled Device）やＣＭＯＳ（Complementary Metal Oxide Semiconductor）などの撮像素子を有し対象物からの光を受光して光電変換を行なうカメラ３２と、カメラ３２を駆動するカメラコントローラ３４と、メモリカードスロット３６に挿入されているメモリカード３５と画像データや音声データのやり取りを行なうためのメモリカードコントローラ３８と、背面側に配置されユーザにより各種操作を行なうための操作ボタン４０と、画像ファイルや音声ファイルを保存したりその他のデータを保存したりするための内蔵メモリ４２と、装置全体のコントローラを司るメインコントローラ５０とを備える。
【００１４】
メモリカードコントローラ３８は、メモリカードスロット３６に挿入されたメモリカード３５との間でデータの入出力を行うものである。このメモリカードコントローラ３８は、メモリカードスロット３６にメモリカード３５が接続されているとき、メモリカード３５に保存されているファイルを読み出してメインコントローラ５０に送信したりメインコントローラ５０からの命令を入力し該命令に基づいてメモリカード３５にデータを書き込んだりする。
【００１５】
操作ボタン４０は、電源のオンオフを行なうための電源ボタン４０ａや各種再生モードを設定するためのモード設定ボタン４０ｂ，各種設定を行なうメニュー画面を呼び出すためのメニューボタン４０ｃ，各種設定を選択するための選択ボタン４０ｄ，選択ボタン４０ｄによって選択された設定を決定するための決定ボタン４０ｅとから構成されている。ここで、モード設定ボタン４０ｂによって設定される再生モードとしては、メモリカード３５や内蔵メモリ４２に保存されている画像を１枚だけ再生する通常再生モードやメモリカード３５や内蔵メモリ４２に保存されている画像を所定順（例えば、ファイル名の順序やファイル更新時間の順序など）或いはランダムで順次再生していくスライドショー再生モードなどがある。スライドショー再生モードでは、メモリカード３５や内蔵メモリ４２に保存されているすべての画像を再生する通常スライドショー再生やメモリカード３５や内蔵メモリ４２に保存されている画像の中からユーザ毎にお気に入りの画像を登録して登録したお気に入りの画像のみを再生するお気に入りスライドショー再生などがある。なお、いずれの再生モードでも画像の表示と共にメモリカード３５や内蔵メモリ４２に保存されている音声ファイルに基づく音声（音楽）の再生にも対応している。
【００１６】
メインコントローラ５０は、ＣＰＵ５２を中心としたマイクロプロセッサとして構成されており、ＣＰＵ５２の他に処理プログラムを記憶するＲＯＭ５４と、一時的にデータを記憶するＲＡＭ５６と、入出力ポート（図示せず）とを備える。このメインコントローラ５０には、カメラコントローラ３４からの画像信号や操作ボタン４０からの操作信号などが入力ポートを介して入力されており、メインコントローラ５０からは、表示コントローラ２４やスピーカコントローラ２８，カメラコントローラ３４，メモリカードコントローラ３８への制御信号などが出力ポートを介して出力されている。また、メインコントローラ５０は、メモリカードスロット３６に挿入されているメモリカード３５からメモリカードコントローラ３８を介してファイルを読み出して内蔵メモリ４２に保存したり、内蔵メモリ４２内のファイルを読み出すと共に読み出したファイルをメモリカードコントローラ３８を介してメモリカード３５に保存したりすることができるようになっている。
【００１７】
次に、こうして構成された本実施形態の電子写真立て２０の動作、特に、ユーザ毎にお気に入り画像を登録する際の動作と登録したお気に入り画像を再生する際の動作について説明する。図２は、メインコントローラ５０により実行される登録処理ルーチンの一例を示すフローチャートである。このルーチンは、ユーザによるモード設定ボタン４０ｂの操作により登録モードが設定されているときに実行される。
【００１８】
登録処理ルーチンが実行されると、メインコントローラ５０のＣＰＵ５２は、まず、カメラコントローラ３４に制御指令を出力してカメラ３２により人物撮影を行ない（ステップＳ１００）、撮影された人物画像の顔を認識する顔認識処理を実行する（ステップＳ１１０）。ここで、顔認識処理は、人の生物学的な特徴を利用して個人を特定するためのものであり、例えば、カメラ３２で撮影された人物画像から両目や口，鼻などの位置を検出し、これらの特徴量を抽出することにより行なうことができる。なお、顔認識処理自体は周知の技術であるからこれ以上の詳細な説明は省略する。顔認識処理により人物画像の顔の特徴量を抽出すると、お気に入り画像ファイルや音声ファイルを選択する（ステップＳ１２０）。お気に入り画像ファイルや音声ファイルの選択は、本実施形態では、メニューボタン４０ｃによりメニュー画面を呼び出すと共に選択ボタン４０ｄを用いてメニュー画面から「お気に入り画像・音声を選択」の項目を選択して決定ボタン４０ｅを押下することにより表示される画像ファイルや音声ファイルの一覧の中から希望するファイルを選択ボタン４０ｄを用いて選択し決定ボタン４０ｅを押下することにより行なうことができる。こうしてお気に入り画像ファイルや音声ファイルを選択すると、選択したお気に入り画像ファイルや音声ファイルに関連付けて前述した顔認識処理により認識した顔（特徴量）を内蔵メモリ４２に登録して（ステップＳ１３０）、本ルーチンを終了する。
【００１９】
次に、再生モード時の動作について説明する。図３は、メインコントローラ５０により実行される再生処理ルーチンの一例を示すフローチャートである。このルーチンは、ユーザによるモード設定ボタン４０ｂの操作によりスライドショー再生モードが設定されているときに実行される。
【００２０】
再生処理ルーチンが実行されると、メインコントローラ５０のＣＰＵ５２は、まず、スライドショー再生モードの再生が通常スライドショー再生かお気に入りスライドショー再生かを調べ（ステップＳ２００）、通常スライドショー再生のときには、メモリカード３５や内蔵メモリ４２に保存されているすべての画像ファイルと音声ファイルが順次再生されるよう再生ファイルを設定し（ステップＳ２１０）、設定した再生ファイルに基づいて画像が再生されるよう表示コントローラ２４に制御信号を出力すると共に音声が再生されるようスピーカコントローラ２８に制御信号を出力して（ステップＳ２６０）、本ルーチンを終了する。一方、お気に入りスライドショー再生のときには、カメラコントローラ３４に制御信号を出力してカメラ３２により人物撮影を行ない（ステップＳ２２０）、撮影した人物画像の顔を認識する顔認識処理を実行し（ステップＳ２３０）、この顔認識処理により抽出した顔の特徴量と前述した図２の登録処理ルーチンにより事前に登録されている登録人物の顔の特徴量とを比較し（ステップＳ２４０）、顔の特徴量が一致（類似）するときには、カメラ３２で撮影された人物は登録者と判断し、登録人物に関連付けて登録されているお気に入り画像ファイルや音声ファイルを再生ファイルに設定し（ステップＳ２５０）、設定した再生ファイルに基づいて画像が再生されるよう表示コントローラ２４に制御信号を出力すると共に音声が再生されるようスピーカコントローラ２８に制御信号を出力して（ステップＳ２６０，Ｓ２７０）、本ルーチンを終了する。ステップＳ２４０で顔の特徴量が一致しない（登録している顔の特徴量のうち抽出した顔の特徴量と一致するものがない）ときには、登録者でないと判断し、前述したステップＳ２１０，Ｓ２６０，Ｓ２７０の処理を実行して本ルーチンを終了する。
【００２１】
ここで、本実施形態の構成要素と本発明の構成要素との対応関係を明らかにする。本実施形態のカメラ３２とカメラコントローラ３４と図２のステップＳ１００や図３のステップＳ２２０の処理を実行するメインコントローラ５０とが本発明の「撮像手段」に相当し、図２のステップＳ１１０や図３のステップＳ２３０の処理を実行するメインコントローラ５０が「顔認識手段」に相当し、図２のステップＳ１２０，１３０の処理を実行するメインコントローラ５０が「登録手段」に相当し、図３のステップＳ２５０，Ｓ２６０，Ｓ２７０の処理を実行するメインコントローラ５０が「再生手段」に相当する。なお、本実施形態では、電子写真立て２０の動作を説明することにより本発明の再生装置の制御方法の一例も明らかにしている。
【００２２】
以上詳述した本実施形態の電子写真立て２０によれば、登録モードが設定されているときには、カメラ３２でユーザを人物撮影して顔認識に抽出された顔（特徴量）をユーザにより選択されたお気に入りの画像ファイルや音声ファイルに関連付けて登録し、再生モードが設定されているときにはカメラ３２で人物撮影して顔認識により抽出された顔が登録者のときにはこれに関連付けて登録されたお気に入りの画像ファイルや音声ファイルを再生ファイルとして設定すると共に設定した再生ファイルに基づいて画像や音声を再生するから、複数のユーザにより共用される場合でも、面倒な操作を伴うことなくユーザ毎にお気に入りの画像や音声を自動再生することができる。
【００２３】
本実施形態では、スライドショー再生モードとしてメモリカード３５や内蔵メモリ４２内のすべての画像ファイルや音声ファイルを再生する通常スライドショー再生と登録者のお気に入り画像ファイルや音声ファイルのみを再生するお気に入りスライドショー再生とを備え、これらをユーザにより選択可能とするものとしたが、お気に入りスライドショー再生のみの機能を備えるものとしてもよい。
【００２４】
本実施形態では、お気に入りスライドショー再生が設定されているときには、メモリカード３５や内蔵メモリ４２に保存されているお気に入りの音声ファイルを再生するものとしたが、これに限定されるものではなく、例えば、音声を録音するためのマイクロホンを備え、登録モードが設定されているときにマイクロホンにより録音して音声ファイルを作成すると共にカメラ３２により人物撮影して顔認識により抽出された顔を作成された音声ファイルに関連付けて内蔵メモリ４２に登録しておき、再生モードが設定されているときにカメラ３２で人物撮影して顔認識により抽出された顔が登録者のときにはこれに関連付けて登録した音声ファイルを再生ファイルに設定してこれを再生するものとしてもよい。この場合、音声ファイルを登録するユーザと音声ファイルを再生するユーザとは同一人物であってもよいし、異なる人物であってもよい。後者の場合、予めカメラ３２により人物撮影すると共に顔認識により抽出された顔（ユーザ）を登録しておき、音声を登録するユーザが予め登録されているユーザの中から音声ファイルを再生するユーザを指定することにより行なうことができる。これにより、例えば、他のユーザ向けに伝言メッセージを再生するなどの用途に利用することが可能となる。なお、こうした他のユーザに向けて再生するものは、音声ファイルに限られず、画像ファイルとしてもよい。
【００２５】
本実施形態では、メモリカード３５や内蔵メモリ４２に保存されている画像ファイルの再生の他に音声ファイルの再生にも対応するものとしたが、画像ファイルの再生だけに対応するものとしてもよい。
【００２６】
本実施形態では、本発明の再生装置を電子写真立てに適用して説明したが、これに限定されるものではなく、撮像装置を搭載すると共に画像や音声を再生可能なものであれば、撮像装置が接続または内蔵された携帯電話やパーソナルコンピュータ，ＰＤＡ（Personal Digital Assistant）などの再生装置とするものとしたり、撮像装置を接続または内蔵するが画像を表示する機能を備えない音声再生装置とするなど、他の如何なる再生装置に適用するものとしても構わない。また、こうした再生装置の形態とするものの他、再生装置の制御方法の形態とするものとしてもよいし、こうした再生装置の制御方法を１又は複数のコンピュータで実現させるためのプログラムの形態とするものとしてもよい。
【００２７】
以上、本発明の実施形態について説明したが、本発明は上述した実施形態に何ら限定されることはなく、本発明の技術的範囲に属する限り種々の態様で実施し得ることは勿論である。
【図面の簡単な説明】
【００２８】
【図１】本実施形態の電子写真立て２０の構成図および機能ブロック図。
【図２】登録処理ルーチンの一例を示すフローチャート。
【図３】再生処理ルーチンの一例を示すフローチャート。
【符号の説明】
【００２９】
２０  再生装置、２２  表示パネル、２４  表示コントローラ、２６  スピーカ、２８  スピーカコントローラ、３２  カメラ、３４  カメラコントローラ、３５  メモリカード、３６  メモリカードスロット、３８  メモリカードコントローラ、４０  操作ボタン、４０ａ  電源ボタン、４０ｂ  モード設定ボタン、４０ｃ  メニューボタン、４０ｄ  選択ボタン、４０ｅ  決定ボタン、４２  内蔵メモリ、５０  メインコントローラ、５２  ＣＰＵ、５４  ＲＯＭ、５６  ＲＡＭ。
【図１】
0004924442.tif 000002
【図２】
0004924442.tif 000003
【図３】
0004924442.tif 000004